(57)【要約】【課題】  鋼管鉄塔の斜材の補修作業において、安全で効率の良い作業を行なうための鋼管鉄塔の斜材用簡易足場を提供する。【解決手段】  本発明は、鋼管鉄塔の斜材に用いられる簡易足場であって、斜材に固定する取付部と取付部に接続される梯子部とで構成されており、前記梯子部は、２本の梯子部主材と、梯子部主材の下端に取付けられていて作業者が載る主足場部と、梯子部中間の梯子部主材間に取付けられた補助足場部とで構成され、前記取付部は、中間部が曲げられた２本の取付部主材と、取付部主材の曲げ部に設けられていて斜材を締め付けて固定し得るバンド部と、取付部主材の上端部に設けられていて斜材にベルト部材を巻き付けて簡易足場の回転を規制するベルト固定部とで構成され、取付部主材の下端部は梯子部主材の上端部に接続されているものである。【選択図】図１
2008088793.tif 000002
【特許請求の範囲】
【請求項１】
鋼管鉄塔の斜材１０２に用いられる簡易足場であって、
斜材１０２に固定する取付部１と取付部１に接続される梯子部２とで構成されており、
前記梯子部２は、２本の梯子部主材３と、
梯子部主材３の下端に取付けられていて作業者が載る主足場部４と、
梯子部２中間の梯子部主材３間に取付けられた補助足場部５とで構成され、
前記取付部１は、中間部が曲げられた２本の取付部主材６ａ，６ｂと、
取付部主材６ａ，６ｂの中間部の曲げ部７に設けられていて斜材１０２を締め付けて固定し得るバンド部８と、
取付部主材６ａ，６ｂの上端部に設けられていて斜材１０２にベルト部材１４を巻き付けて簡易足場の回転を規制するベルト固定部９とで構成され、
取付部主材６ａ，６ｂの下端部は梯子部主材３の上端部に接続されていること、
を特徴とする鋼管鉄塔の斜材用簡易足場。
【請求項２】
取付部主材６ａ，６ｂの曲げ部７に設けられたバンド部８は、
斜材１０２の円周方向を拘束して固定するよう円弧状に加工されたバンド金具１０と、
取付部主材６ａ，６ｂ間に回転自由に取付けられたボルト部材１１と、
ボルト部材１１に取付けられた締付金具１２とで構成されており、
前記ボルト部材１１は、中心から一方の取付部主材６ａ方向ともう一方の取付部主材６ｂ方向へ相対する方向にネジ切り加工が施されていること、
前記バンド金具１０は、両端部がフック状に形成され、締付金具１２に引っ掛けられてボルト部材１１と連結していること、
前記締付金具１２は、ボルト部材１１のネジ溝に合わせてネジ切り加工が施され、ボルト部材１１の中心から一方の取付部主材６ａ間ともう一方の取付部主材６ｂ間にそれぞれ取付けられており、ボルト部材１１を回転させることで、締付金具１２がボルト部材１１の中心方向に移動し、バンド金具１０の締付けを行うこと、
を特徴とする請求項１記載の鋼管鉄塔の斜材用簡易足場。
【発明の詳細な説明】
【技術分野】
【０００１】  本発明は、鋼管鉄塔の斜材に用いられる補修作業用の簡易足場に関するものである。
【背景技術】
【０００２】  鉄塔は防錆のために溶融亜鉛めっき処理が施されているが、経年劣化や環境条件により錆が発生する場合があり、錆が発生した箇所は塗装などによる補修が行われる。【０００３】  従来、鉄塔の補修作業を行う場合、丸太などの木製部材を使用して鉄塔の周囲を覆うように組立てた足場を用いて補修作業を行う方法が知られている。また、ゴンドラを設営して補修作業を行う方法も知られている（例えば、特許文献１参照。）。【０００４】  補修を行う範囲が狭い場合や数本の部材を補修の対象としている場合には、作業者は鉄塔に昇塔し、部材や主柱材に付設されているステップを足場として、部材に命綱を結んで落下を防止しつつ、補修作業を行っている。【０００５】
【特許文献１】特開昭５３−６４９２４号公報
【発明の開示】
【発明が解決しようとする課題】
【０００６】  しかしながら、木製足場を組立てて補修作業を行う方法やゴンドラを設営し補修作業を行う方法では、補修範囲が広範囲である場合には有効であるが、補修を行う範囲が狭い場合や数本の部材を補修の対象としている場合には、木製足場やゴンドラを構成する部材および機材の搬送や組立てなどに時間がかかり、効率が悪いという問題があった。【０００７】  また、作業者が鉄塔に昇塔し、部材や主柱材に付設されているステップを足場として補修作業を行う方法では、鉄塔を構成している部材が山形鋼の場合は、主柱材や斜材の座屈を補剛するための補助材が取付けられていることが多いため、補助材を足場として作業を行うことができるが、鉄塔を構成している部材が鋼管の場合は、補助材が取付けられることが少ないため、作業を行うための足場が無く、作業が困難であった。特に斜材については、作業面が傾斜しており、斜材に命綱を結んで直接部材に抱きついてすべりながら補修作業を行っているため、危険で効率が悪いという問題があった。
【課題を解決するための手段】
【０００８】  前述の問題を有利に解決するために、本発明の鋼管鉄塔の斜材用簡易足場は、鋼管鉄塔の斜材に用いられる簡易足場であって、斜材に固定する取付部と取付部に接続される梯子部とで構成されており、前記梯子部は、左右２本の梯子部主材と、梯子部主材の下端に取付けられていて作業者が載る主足場部と、梯子部中間の梯子部主材間に取付けられた補助足場部とで構成され、前記取付部は、中間部が曲げられた２本の取付部主材と、取付部主材の中間部の曲げ部に設けられていて斜材を締め付けて固定し得るバンド部と、取付部主材の上端部に設けられていて斜材にベルト部材を巻き付けて簡易足場の回転を規制するベルト固定部とで構成され、取付部主材の下端部は梯子部の梯子部主材の上端部に接続されていることを特徴とする。【０００９】  また、取付部主材の曲げ部に設けられたバンド部は、斜材の円周方向を拘束して固定するよう円弧状に加工されたバンド金具と、取付部主材間に回転自由に取付けられたボルト部材と、ボルト部材に取付けられた締付金具とで構成されており、前記ボルト部材は、中心から一方の取付部主材方向ともう一方の取付部主材方向へ相対する方向にネジ切り加工が施されていること、前記バンド金具は、両端部がフック状に形成され、締付金具に引っ掛けられてボルト部材と連結していること、前記締付金具は、ボルト部材のネジ溝に合わせてネジ切り加工が施され、ボルト部材の中心から一方の取付部主材間ともう一方の取付部主材間にそれぞれ取付けられており、ボルト部材を回転させることで、締付金具がボルト部材の中心方向に移動し、バンド金具の締付けを行うことを特徴とする。
【発明の効果】
【００１０】  本発明の鋼管鉄塔の斜材用簡易足場によれば、取付部と梯子部の簡単な構造で形成されているため軽量であり、持ち運びが容易である。また、斜材への取付け、取外しが容易な構成であるため、効率良く作業を行うことができる。【００１１】  さらに、作業者は斜材から梯子部の補助足場部に足を掛けて主足場部上に降り、主足場部に乗って補修作業を行うため、安定した姿勢で作業ができ、従来のように、斜材に抱きついて行う作業方法と比べて、安全で効率良く作業を行うことができる。
【発明を実施するための最良の形態】
【００１２】  以下、本発明の実施の形態を図１〜図６を参照して説明する。図６は、鋼管鉄塔の構造の一例を示している。鋼管鉄塔の構成材である斜材１０２は、主柱材１０１および水平材１０３とプレート１０４を介してボルト接合されている。鉄塔を構成している部材が山形鋼の場合は、主柱材や斜材の座屈を補剛するための補助材が取付けられていることが多いため、補助材を足場として作業を行うことができるが、鉄塔を構成している部材が鋼管の場合は、補助材が取付けられることが少ないため、作業を行うための足場が無く、作業が困難である。【００１３】  図１は鋼管鉄塔の斜材用簡易足場の正面図、図２は鋼管鉄塔の斜材用簡易足場の側面図を示している。本発明の鋼管鉄塔の斜材用簡易足場は可搬式の作業足場であり、斜材１０２に固定する取付部１と取付部１に接続される梯子部２とで構成されている。【００１４】  前記梯子部２は、左右２本の梯子部主材３と、梯子部主材３の下端に取付けられていて作業者が載る主足場部４と、梯子部２中間の左右の梯子部主材３間に取付けられた補助足場部５とで構成されており、前記主足場部４は、左右の梯子部主材３の外側に作業者が足を載せることができる長さの管状の部材が使用されている。【００１５】  前記取付部１は、中間部が曲げられた２本の取付部主材６ａ，６ｂと、取付部主材６ａ，６ｂの中間部の曲げ部７に設けられていて斜材１０２を締め付けて固定し得るバンド部８と、取付部主材６ａ，６ｂの一方の端部に設けられていて斜材１０２にベルト部材１４を巻き付けて簡易足場の回転を規制するベルト固定部９とで構成されており、取付部主材６ａ，６ｂのもう一方の端部は梯子部主材３の上端部に接続されている。【００１６】  取付部主材６ａ，６ｂの曲げ部７は、図２に示す鋼管鉄塔の斜材用簡易足場の側面図から見て、梯子部主材３の部材軸に対して、取付部主材６ａ，６ｂの中間部で１０°〜８０°の角度で曲げられており、本発明の斜材用簡易足場を使用する鉄塔の斜材１０２の取付角度に応じて曲げ角度を使い分けることができる。【００１７】  図３はバンド部の正面図、図４は図３のＡ−Ａ線におけるバンド金具の側面図を示している。取付部主材６ａ，６ｂの曲げ部７に設けられたバンド部８は、斜材の円周方向を拘束して固定するよう円弧状に加工されたバンド金具１０と、取付部主材６ａ，６ｂ間に回転自由に取付けられたボルト部材１１と、ボルト部材１１に取付けられた締付金具１２とで構成されており、前記ボルト部材１１は、中心から一方の取付部主材６ａ方向ともう一方の取付部主材６ｂ方向へ相対する方向にネジ切り加工が施されている。前記バンド金具１０は、両端部がフック状に形成され、脱落防止のための止金具体１３が取付けられており、バンド金具１０の端部を締付金具１２に引っ掛けてボルト部材１１に連結している。【００１８】  前記締付金具１２は、ボルト部材１１のネジ溝に合わせてネジ切り加工が施されており、ボルト部材１１の中心から一方の取付部主材６ａ間ともう一方の取付部主材６ｂ間にそれぞれ取付けられている。ここで、ボルト部材１１を回転させると、２つの締付金具１２がボルト部材１１の中心方向に移動し、締付金具１２を介してボルト部材１１に連結されているバンド金具１０の両端部もボルト部材１１の中心方向に移動する。これにより、バンド金具１０の締付けを行うことができる。また、ボルト部材１１を前述の方向と逆方向に回転させると、締付金具１２はボルト部材１１の中心から取付部主材６ａ，６ｂの方向に移動し、バンド金具１０を緩めることができる。また、図示していないが、ボルト部材１１の端部には、ボルト部材１１を回転させるための金具が取付けられており、この金具を回転させることで、ボルト部材１１に回転を与えている。【００１９】  バンド金具１０を斜材１０２に取付けた際は、バンド金具１０とボルト部材１１は締付金具１２を介して、フックで引っ掛けられて連結しているため、ボルト部材１１を支点として、斜材用簡易足場が回転自由な状態となる。この斜材用簡易足場の回転は、取付部主材６ａ，６ｂの上端部に設けられたベルト固定部９で規制する。【００２０】  前記ベルト固定部９は、ベルト部材１４と、一方の取付部主材６ａの端部に取付けられていてベルト部材１４を固定するベルト固定金具１５と、もう一方の取付部主材６ｂの端部に取付けられていてベルト部材１４の長さを調整可能な調整固定金具１６とで構成されている。ベルト部材１４は、一方の端部をベルト固定金具１５で固定して、斜材１０２に巻き付け、もう一方の端部を調整固定金具１６でベルト部材１４の長さを調整してベルト部材１４の締付けを行って固定し、簡易足場の回転を規制する。【００２１】  図５は鋼管鉄塔の斜材用簡易足場の取付状態を示している。鋼管鉄塔の斜材用簡易足場の取付けは、斜材１０２の上方側にベルト固定部９、斜材１０２の下方側にバンド部８が位置するように取付け、作業者はベルト固定部９からバンド部８の方向に向いた状態で、簡易足場に降りるようにする。【００２２】  本発明の鋼管鉄塔の斜材用簡易足場は、取付部１と梯子部２の簡単な構造で形成されているため、軽量であり、持ち運びが容易である。また、取付部主材６ａ，６ｂ、梯子部主材３、主足場部４、補助足場部５はアルミニウム又はアルミニウム合金から製造された管状の部材を使用することで、より軽量なものとすることができる。【００２３】  補修作業時には、鋼管鉄塔の斜材用簡易足場を背負って補修箇所まで昇塔し、補修対象の斜材１０２にバンド金具１０を取付け、バンド金具１０端部のフックを締付金具１２に引っ掛けてボルト部材１１と連結し、ボルト部材１１を回転させてバンド金具１０を締付ける。次に、ベルト部材１４を斜材１０２に巻き付けて固定し、簡易足場の回転を規制する。簡易足場を斜材１０２上で移動させる場合には、バンド金具１０を緩めることで斜材１０２上を移動させることができる。このように、斜材用簡易足場の取付け、取外しが容易な構成であるので、効率良く作業を行うことができる。【００２４】  作業者は、斜材１０２から梯子部２の補助足場部５に足を掛けて主足場部４上に降り、主足場部４に乗って補修作業を行うため、足場を確保することができ安定した姿勢で作業できるので、作業がし易くなり、作業効率が向上する。また、安全に作業を行うことができる。
【図面の簡単な説明】
【００２５】
【図１】  鋼管鉄塔の斜材用簡易足場の正面図
【図２】  鋼管鉄塔の斜材用簡易足場の側面図
【図３】  バンド部の正面図
【図４】  図３のＡ−Ａ線におけるバンド金具の側面図
【図５】  鋼管鉄塔の斜材用簡易足場の取付状態図
【図６】  鋼管鉄塔の構造の一例
【符号の説明】
【００２６】      １          取付部
２          梯子部
３          梯子部主材
４          主足場部
５          補助足場部
６ａ，６ｂ  取付部主材
７          曲げ部
８          バンド部
９          ベルト固定部
１０          バンド金具
１１          ボルト部材
１２          締付金具
１３          止金具体
１４          ベルト部材
１５          ベルト固定金具
１６          調整固定金具
１０１          主柱材
１０２          斜材
１０３          水平材
１０４          プレート
【図１】
2008088793.tif 000003
【図２】
2008088793.tif 000004
【図３】
2008088793.tif 000005
【図４】
2008088793.tif 000006
【図５】
2008088793.tif 000007
【図６】
2008088793.tif 000008